(57)【要約】【課題】  従来の防虫ネットを張装したハウスでは、妻面にファン・換気扇で、吸込んだ外気を、ハウス内に導入し、妻面内部に設けた防虫ネットで、略水平方向の空気の流れと、広域的な空気の流れを確保し、ハウス内の温湿度の制御と、栽培環境と人に優しい作業環境を確保できるが、この構造は、低所ハウスに送風手段を有効、かつ既設のハウス構造を利用し、設置するには、十分な配慮と、構造が開示されているとは考えられなかった。【解決手段】  低所ハウスに、吸込み兼排気用の送風手段を設置するには、妻面に外枠を突設し、かつシャツタ枠体を枠体に枢着し、シャツタ枠体を、ハウスの誘引梁と妻面の内面で形成される棟方向空間Ｈに設け、シャツタ枠体を、ハウスの高さ方向で、ハウスの内張りビニールフィルムと、誘引梁との間にある高さ方向空間Ｈ１に設け、ハウスでの栽培・作業環境と、栽培・作業合理化、収穫・品質等の向上が図れる。【選択図】      図１
2010263799.tif 000002
【特許請求の範囲】
【請求項１】
ハウスの妻面に開設する開口部に設けたシャツタ、及びファン、換気扇等の送風手段と、この送風手段を回転する回転機構と、前記送風手段を駆動するモータと、この送風手段と、前記妻面に突設した外枠の吸込み口から前記ハウス内に導入した空気を取込む部屋と、この部屋の棟方向の吹出側に設けた防虫ネットとで構成し、
この部屋の吸込み空気を、前記部屋のビニールフィルムで誘導し、前記吹出側の防虫ネットに送り、この吸込み空気を、防虫ネットの網目を利用してコントロールし、この防虫ネットの網目から、略均等に前記ハウス内に送風する構成としたハウスにおける吸込み空気の送風装置。
【請求項２】
ハウスの妻面に開設する開口部に設けたシャツタ、及びファン、換気扇等の送風手段と、この送風手段を駆動するモータと、この送風手段と、前記妻面に設けた外枠の吸込み口から前記ハウス内に導入した空気を取込む部屋と、この部屋の棟方向の吹出側に設けた防虫ネットとで構成し、
この部屋の吸込み空気を、前記部屋のビニールフィルムで誘導し、前記吹出側の防虫ネットに送り、この吸込み空気を、防虫ネットの網目を利用してコントロールし、この防虫ネットの網目から、略均等に前記ハウス内に送風する構成としたハウスにおける吸込み空気の送風装置。
【請求項３】
請求項１、又は請求項２に記載のハウスにおける吸込み空気の送風装置であって、
前記送風手段は、前記ハウスの棟方向において、その妻面内側と誘引梁とで形成される棟方向空間に設けるとともに、ハウスの高さ方向において、ハウスの内張りビニールフィルムと、前記誘引梁とで形成される高さ方向空間に設け、この棟方向・高さ方向空間を利用し、この送風手段を設置する構成としたハウスにおける吸込み空気の送風装置。
【請求項４】
請求項１、又は請求項２に記載のハウスにおける吸込み空気の送風装置であって、
前記送風手段の外枠の放射方向の側面を、密封手段で囲繞し、この密封空間内に、前記モータ、羽根車、又はこのモータを支持する支持杆等を収容する構成としたハウスにおける吸込み空気の送風装置。
【請求項５】
請求項１に記載のハウスにおける吸込み空気の送風装置であって、
前記送風手段の回転機構は、前記妻面に突設した吸込み口を備えた外枠と、前記シャツタ、及びファン、換気扇等を内部に装置できるシャツタ枠体と、このシャツタ枠体が設けられる妻面の枠体と、このシャツタ枠体と、この枠体との間に設けた枢軸と、このシャツタ、及びファン、換気扇等の回転停止を図る前記シャツタ枠体と、前記枠体との間に設けたストッパーとで構成したハウスにおける吸込み空気の送風装置。
【請求項６】
請求項１に記載のハウスにおける吸込み空気の送風装置であって、
前記送風手段は、前記ハウスの棟方向において、その妻面内側と誘引梁とで形成される棟方向空間に設けるとともに、その高さ方向において、ハウスの内張りビニールフィルムと、前記誘引梁とで形成される高さ方向空間に設け、この棟方向・高さ方向空間を利用し、この送風手段を回転する構成としたハウスにおける吸込み空気の送風装置。
【請求項７】
請求項１に記載のハウスにおける吸込み空気の送風装置であって、
前記送風手段の回転機構のシャツタ枠体と、前記ハウスの躯体の枠体との間に枢軸を設け、この枢軸を支軸とし、このシャツタ枠体が、前記妻面の外側に出窓形式に突出する構成としたハウスにおける吸込み空気の送風装置。
【発明の詳細な説明】
【技術分野】
【０００１】
本発明は、ハウスにおける吸込み空気の送風装置に関し、さらに、詳しくは、ハウス内の所定の空間（小型ハウスの空間）を利用して、送風手段と回転機構を配備できるハウスにおける吸込み空気の送風装置に関する。
【背景技術】
【０００２】
ハウス（ビニールハウス、ガラスハウス等の栽培建屋）において、ハウス内の送風及び／又は換気装置（送風装置）は、作物の生育において、健全な栽培環境と、収穫の拡充及び／又は品質の向上と、作物の効率的かつ簡易な栽培等にとって、最低限必要となる条件である。また、このハウス内の送風は、気候条件、作物の作柄等に対応し、送風又は吹出か、又は送風量、送風時間等を変更することが望まれることから、極めて精緻な機構が望まれること、又は多目的な送風手段（吸込と、吹出しを併用できる送風手段）が望まれる。
【０００３】
しかし、従来の小型ハウス（低所構造のハウス）では、ハウス内に色々の付帯設備があること、送風手段の設置の困難性があることと、多目的な送風手段を設置することも、本質的に困難であった。殊に、この多目的な送風手段では、この送風手段の切り換え時における回転におけるスペースが確保できないことが改良点である。
【０００４】
このような問題点の改良として、本出願人は、改良発明を提案している。この提案を、文献（１）、（２）として説明する。
【０００５】
この文献（１）は、特開２００８−１１８８６４の「ハウスの送風システム」であり、その概要は、ハウスの両妻面にファン・換気扇を設け、ハウスの両妻面内部の天井面から一枚又は複数枚の防虫ネットの上部を垂架し、ファン・換気扇を防虫ネットで囲繞し、ハウスの高さ方向の略中間部で、この防虫ネットの下部を、妻面に向かって延設し、その端部を妻面に連結することで、この防虫ネット下側に、防虫ネットを張装しない開放部を形成し、この防虫ネットを利用し、ハウスの長手方向に略水平方向の空気の流れと、広域的な空気の流れの確保と、また、開放部を形成し、耕作面積の拡充と作業性の効率の向上を確保する構成であり、略均一な栽培環境・効率的な送風の確保、又は送風領域の拡充し、送風量の軽減化と、ファンの低容量化等による経済的な効果及び／又は省資源化の達成と、ランニングコストの低廉化等を図ることを意図する。
【０００６】
また、文献（２）は、特開２００８−６１５４４の「ハウスの送風システム」であり、その概要は、ハウスの両妻面にファン・換気扇を設け、ハウスの両妻面内部に一枚又は複数枚の防虫ネットを張装し、ハウス内に外気を、一方の妻面のファン、及び一方側の防虫ネットを介して導入しつつ、ハウスの内気を、他方の妻面の防虫ネット、及び換気扇を介して排気する送風システムで、一方のファン、及び防虫ネットと、他方の防虫ネット、及び換気扇を介して、ハウスの長手方向に略水平方向の空気の流れと、広域的な空気の流れを確保することを特徴とし、前述の文献（１）と同じ効果を達成することを意図する。
【０００７】
【特許文献１】特開２００８−１１８８６４
【特許文献２】特開２００８−６１５４４
【発明の概要】
【発明が解決しようとする課題】
【０００８】
前述した文献（１）と、文献（２）は、妻面にファン・換気扇を設けるとともに、このファン・換気扇で、吸込んだ外気を、ハウス内に導入しつつ、妻面内部に設けた防虫ネットで、ハウスの長手方向に略水平方向の空気の流れと、広域的な空気の流れを確保し、ハウス内の温度（湿度）の制御と、栽培環境と人に優しい作業環境を確保とが達成できる特徴を有する。しかし、この文献（１）と、文献（２）は、低所ハウスに送風手段を有効、かつ既設のハウス構造を利用し、設置するには、十分な配慮と、構造が開示されているとは考えられなかった。
【０００９】
そこで、本発明は、低所ハウス（例えば、イチゴハウスの如く、栽培作物が、小さく、かつ人の腰の近辺の棚で栽培するハウスである。尚、本発明では、以下、ハウスとする）において、前述の文献（１）と、文献（２）の効果が達成できるハウスにおける吸込み空気の送風装置を提供する。このハウスにおける吸込み空気（外気とする）の送風装置の提供で、本発明は、下記の各意図を達成する。
【００１０】
［イ］  ハウスに送風手段を設置し、ハウスの長手方向に略水平方向の外気の流れと、広域的な外気の流れを確保することで、例えば、ハウス内における耕作環境、及び作物への送風領域の拡充を図り、また、効率的な送風を確保し、作物の収穫量の増大と、作業性の効率化の向上を図ること、そして、また、送風量の軽減化・ファン及び／又は換気扇の低容量化等による経済的な効果、及び省資源化の達成を図ること、さらに、ランニングコストの低廉化を達成すること、
［ロ］  ハウスにおいて、誘引梁、又は内張りビニールカーテンに邪魔されることなく、送風手段を設置でき、かつ送風手段の回転が図れる構造を提供すること、
［ハ］  ハウス内での作業を、従来のような温熱環境的に安全な時間帯である日の出後、日没前の数時間程度に限られずに、昼夜の作業も可能とし、効率的な農作業の達成に役立てること、
［ニ］  ハウスの圃場面積を拡充し、かつ作物の収穫量を増加させること、
［ホ］  従来の施設栽培における農作業の作業強度は、ＲＭＲ（エネルギー代謝率）が１〜２の極軽作業〜軽作業を中心とする。しかし、防虫ネット及び／又は内張りビニールフィルムを装備したハウスでは、高温期において、日射の増加に伴い、作業者の胸から顔の付近では、ＷＢＧＴ（湿球黒球温度）の上昇が激しく、もって、ネット無被覆ハウスよりも高く推移することに鑑み、本発明で、このハウスの温熱環境的に対する問題点の解消を図ること、等を意図する。
【課題を解決するための手段】
【００１１】
請求項１・２の発明は、前記［イ］〜［ホ］に示した意図を達成することにある。
【００１２】
請求項１は、ハウスの妻面に開設する開口部に設けたシャツタ、及びファン、換気扇等の送風手段と、この送風手段を回転する回転機構と、前記送風手段を駆動するモータと、この送風手段と、前記妻面に突設した外枠の吸込み口から前記ハウス内に導入した空気を取込む部屋と、この部屋の棟方向の吹出側に設けた防虫ネットとで構成し、
この部屋の吸込み空気を、前記部屋のビニールフィルムで誘導し、前記吹出側の防虫ネットに送り、この吸込み空気を、防虫ネットの網目を利用してコントロールし、この防虫ネットの網目から、略均等に前記ハウス内に送風する構成としたハウスにおける吸込み空気（外気）の送風装置である。
【００１３】
請求項２は、ハウスの妻面に開設する開口部に設けたシャツタ、及びファン、換気扇等の送風手段と、この送風手段を駆動するモータと、この送風手段と、前記妻面に設けた外枠の吸込み口から前記ハウス内に導入した空気を取込む部屋と、この部屋の棟方向の吹出側に設けた防虫ネットとで構成し、
この部屋の吸込み空気を、前記部屋のビニールフィルムで誘導し、前記吹出側の防虫ネットに送り、この吸込み空気を、防虫ネットの網目を利用してコントロールし、この防虫ネットの網目から、略均等に前記ハウス内に送風する構成としたハウスにおける吸込み空気（外気）の送風装置である。
【００１４】
請求項３の発明は、前記［イ］〜［ホ］に示した意図を達成するに最適な、送風手段を提供することにある。
【００１５】
請求項３は、請求項１、又は請求項２に記載のハウスにおける吸込み空気の送風装置であって、
前記送風手段は、前記ハウスの棟方向において、その妻面内側と誘引梁とで形成される棟方向空間に設けるとともに、ハウスの高さ方向において、ハウスの内張りビニールフィルムと、前記誘引梁とで形成される高さ方向空間に設け、この棟方向・高さ方向空間を利用し、この送風手段を設置する構成としたハウスにおける吸込み空気の送風装置である。
【００１６】
請求項４の発明は、前記［イ］〜［ホ］に示した意図を達成するに最適な、外枠の周辺を密封した送風手段を提供することにある。
【００１７】
請求項４は、請求項１、又は請求項２に記載のハウスにおける吸込み空気の送風装置であって、
前記送風手段の外枠の放射方向の側面を、密封手段で囲繞し、この密封空間内に、前記モータ、羽根車、又はこのモータを支持する支持杆等を収容する構成としたハウスにおける吸込み空気の送風装置である。
【００１８】
請求項５の発明は、前記［イ］〜［ホ］に示した意図を達成するに最適な、送風手段の回転機構を提供することにある。
【００１９】
請求項５は、請求項１に記載のハウスにおける吸込み空気の送風装置であって、
前記送風手段の回転機構は、前記シャツタ、及びファン、換気扇等を内部に装置できるシャツタ枠体と、このシャツタ枠体が設けられる妻面の枠体と、このシャツタ枠体と、この枠体との間に設けた枢軸と、このシャツタ、及びファン、換気扇等の回転停止を図る前記シャツタ枠体と、前記枠体との間に設けたストッパーとで構成したハウスにおける吸込み空気の送風装置である。
【００２０】
請求項６の発明は、前記［イ］〜［ホ］に示した意図を達成するに最適な、送風手段を提供することにある。
【００２１】
請求項６は、請求項１に記載のハウスにおける吸込み空気の送風装置であって、
前記送風手段は、前記ハウスの棟方向において、その妻面内側と誘引梁とで形成される棟方向空間に設けるとともに、その高さ方向において、ハウスの内張りビニールフィルムと、前記誘引梁とで形成される高さ方向空間に設け、この棟方向・高さ方向空間を利用し、この送風手段を回転する構成としたハウスにおける吸込み空気の送風装置である。
【００２２】
請求項７の発明は、前記［イ］〜［ホ］に示した意図を達成するに最適な、送風手段の回転機構のハウスへの取付け手段を提供することにある。
【００２３】
請求項７は、請求項１に記載のハウスにおける吸込み空気の送風装置であって、
前記送風手段の回転機構のシャツタ枠体と、前記ハウスの躯体の枠体との間に枢軸を設け、この枢軸を支軸とし、このシャツタ枠体が、前記妻面の外側に出窓形式に突出する構成としたハウスにおける吸込み空気の送風装置である。
【発明の効果】
【００２４】
請求項１の発明は、ハウスの妻面に開設する開口部に設けたシャツタ、及びファン、換気扇等の送風手段と、送風手段を回転する回転機構と、送風手段を駆動するモータと、この送風手段と、妻面に突設した外枠の吸込み口から前記ハウス内に導入した空気を取込む部屋と、部屋の棟方向の吹出側に設けた防虫ネットとで構成し、
部屋の吸込み空気を、部屋のビニールフィルムで誘導し、吹出側の防虫ネットに送り、吸込み空気を、防虫ネットの網目を利用してコントロールし、防虫ネットの網目から、略均等にハウス内に送風する構成としたハウスにおける吸込み空気の送風装置である。
【００２５】
請求項２の発明は、ハウスの妻面に開設する開口部に設けたシャツタ、及びファン、換気扇等の送風手段と、送風手段を駆動するモータと、送風手段と、妻面に設けた外枠の吸込み口からハウス内に導入した空気を取込む部屋と、部屋の棟方向の吹出側に設けた防虫ネットとで構成し、
部屋の吸込み空気を、部屋のビニールフィルムで誘導し、吹出側の防虫ネットに送り、吸込み空気を、防虫ネットの網目を利用してコントロールし、防虫ネットの網目から、略均等にハウス内に送風する構成としたハウスにおける吸込み空気の送風装置吸込み空気の送風装置である。
【００２６】
従って、請求項１・２は、下記の特徴がある。
【００２７】
［イ］  ハウスに送風手段を設置し、ハウスの長手方向に略水平方向の外気の流れと、広域的な外気の流れを確保することで、例えば、ハウス内における耕作環境、及び作物への送風領域の拡充を図り、また、効率的な送風を確保し、作物の収穫量の増大と、作業性の効率化の向上を図ること、そして、また、送風量の軽減化・ファン及び／又は換気扇の低容量化等による経済的な効果、及び省資源化の達成を図ること、さらに、ランニングコストの低廉化を達成できること、
［ロ］  ハウスにおいて、誘引梁、又は内張りビニールカーテンに邪魔されることなく、送風手段を設置でき、かつ送風手段の回転が図れる構造を提供できること、
［ハ］  ハウス内での作業を、従来のような温熱環境的に安全な時間帯である日の出後、日没前の数時間程度に限られずに、昼夜の作業も可能とし、効率的な農作業の達成に役立つこと、
［ニ］  ハウスの圃場面積を拡充し、かつ作物の収穫量を増加できること、
［ホ］  従来の施設栽培における農作業の作業強度は、ＲＭＲ（エネルギー代謝率）が１〜２の極軽作業〜軽作業を中心とする。しかし、防虫ネット及び／又は内張りビニールフィルムを装備したハウスでは、高温期において、日射の増加に伴い、作業者の胸から顔の付近では、ＷＢＧＴ（湿球黒球温度）の上昇が激しく、もって、ネット無被覆ハウスよりも高く推移することに鑑み、本発明で、このハウスの温熱環境的に対する問題点の解消を図れること、
請求項３の発明は、請求項１、又は請求項２に記載のハウスにおける吸込み空気の送風装置であって、
送風手段は、ハウスの棟方向において、その妻面内側と誘引梁とで形成される棟方向空間に設けるとともに、ハウスの高さ方向において、ハウスの内張りビニールフィルムと、誘引梁とで形成される高さ方向空間に設け、棟方向・高さ方向空間を利用し、送風手段を設置する構成としたハウスにおける吸込み空気の送風装置
従って、請求項３は、前記［イ］〜［ホ］に示した意図を達成するに最適な、送風手段を提供できる特徴がある。
【００２８】
請求項４の発明は、請求項１、又は請求項２に記載のハウスにおける吸込み空気の送風装置であって、
送風手段の外枠の放射方向の側面を、密封手段で囲繞し、密封空間内に、モータ、羽根車、又はモータを支持する支持杆等を収容する構成としたハウスにおける吸込み空気の送風装置である。
【００２９】
従って、請求項４は、前記［イ］〜［ホ］に示した意図を達成するに最適な、外枠の周辺を密封した送風手段を提供できる特徴がある。
【００３０】
請求項５の発明は、請求項１に記載のハウスにおける吸込み空気の送風装置であって、
送風手段の回転機構は、シャツタ、及びファン、換気扇等を内部に装置できるシャツタ枠体と、シャツタ枠体が設けられる妻面の枠体と、シャツタ枠体と、枠体との間に設けた枢軸と、シャツタ、及びファン、換気扇等の回転停止を図るシャツタ枠体と、枠体との間に設けたストッパーとで構成したハウスにおける吸込み空気の送風装置である。
【００３１】
従って、請求項５は、前記［イ］〜［ホ］に示した意図を達成するに最適な、送風手段の回転機構を提供できる特徴がある。
【００３２】
請求項６の発明は、請求項１に記載のハウスにおける吸込み空気の送風装置であって、
送風手段は、ハウスの棟方向において、その妻面内側と誘引梁とで形成される棟方向空間に設けるとともに、その高さ方向において、ハウスの内張りビニールフィルムと、誘引梁とで形成される高さ方向空間に設け、棟方向・高さ方向空間を利用し、送風手段を回転する構成としたハウスにおける吸込み空気の送風装置である。
【００３３】
従って、請求項６は、前記［イ］〜［ホ］に示した意図を達成するに最適な、送風手段の回転機構の密封手段を提供できる特徴がある。
【００３４】
請求項７の発明は、請求項１に記載のハウスにおける吸込み空気の送風装置であって、
送風手段の回転機構のシャツタ枠体と、ハウスの躯体の枠体との間に枢軸を設け、枢軸を支軸とし、シャツタ枠体が、妻面の外側に出窓形式に突出する構成としたハウスにおける吸込み空気の送風装置である。
【００３５】
従って、請求項７は、前記［イ］〜［ホ］に示した意図を達成するに最適な、送風手段の回転機構のハウスへの取付け手段を提供できる特徴がある。
【図面の簡単な説明】
【００３６】
【図１】図１はイチゴ栽培と、通常は別に栽培するトマト栽培を一例として示したハウス（低所ハウスである）に送風手段を設けた正面模式図
【図２】図２は図１に示したイチゴ栽培等のハウスの一部省略の側面模式図
【図３−１】図３−１は回転機構を備えた送風手段の一例を示した拡大正面図
【図３−２】図３−２は図３−１の裏面図
【図４−１】図４−１は図３−１に示した送風手段を吸気（吸込み）状態で使用する一例を示した側面模式図
【図４−２】図４−２は図３−１に示した送風手段を排気（吐出）状態で使用する一例を示した側面模式図
【図５−１】図５−１は固定方式の送風手段の一例を示した拡大正面図
【図５−２】図５−２は図５−１の裏面図
【図６−１】図６−１は図５−１に示した送風手段の一例であって、吸気か、又は排気状態で使用する一例を示した拡大側面図
【発明を実施するための形態】
【００３７】
１はハウスで、このハウス１は、躯体１００と、ビニールハウス１０１で構成されており、低所方式であって、次のように構成される。そして、このハウス１には、誘引梁２と、内張りビニールフィルム３が設けられている。この誘引梁２と妻面１ａの内側とでなる棟方向空間Ｈ（棟方向の空間）に設けられている。また、この内張りビニールフィルム３と誘引梁２とでなる棟方向空間Ｈ１（高さ方向の空間）に設けられている。尚、前記妻面１ａを構成する躯体１００の一部には、方形状の躯体部材１００ａ、１００ｂを方形状に組付けた枠体５を形成する。この枠体５（［躯体１００］）で形成される開口部５００には、後述する送風手段を取付ける。そして、この開口部５００に、送風手段を設ける構造である。この送風手段の構造により、区々となり、例えば、図３−１〜図４−２の実施例では、妻面１ａの躯体１には、その外方に突出する出窓形式の方形状の外枠６を突設する。そして、この一例では、この枠体５の少なくとも、隅角より前記外方に突出する四本の外枠部材６００ａ、６００ｂで形成する。また、図５−１〜図６−２の実施例では、妻面１ａの躯体１と面一形式であって、前記枠体５を利用する簡便な構造である。
【００３８】
この送風手段は、図３−１〜図４−２の実施例では、回転機構を備えた構造であり、枠体５に僅かの隙間をもって収容される枠部材１０００ａ、１０００ｂを枠組み構成したシャツタ枠体１０と、このシャツタ枠体１０の枠部材１０００ａ、１０００ｂと、枠体５の躯体部材１００ａ、１００ｂ（躯体部材１００ａ等とする）間で、その上下方向（妻面１ａの天地方向）か、又は左右方向（地面に並行する方向）において対峙して設けた対の枢軸１１と、このシャツタ枠体１０に支持杆１２で支持した羽根車１３と、モータ１４等の駆動部と、図示しない回転装置（ワイヤの操作、モータと歯車機構、又はモータとリンク機構等の装置）と、図示しないストッパーで構成する。この送風手段のシャツタ枠体１０を、前記ハウス１の誘引梁２と妻面１ａの内面とで形成される棟方向空間Ｈで、かつ誘引梁２の妻面１ａ側に設けた防虫ネット２０の妻面１ａ側に設けることで、このシャツタ枠体１０の枠部材１０００ａ、１０００ｂの略１／２の長さに相当するスペースを確保できる。このシャツタ枠体１０を前記スペースに設置し、かつシャツタ枠体１０の枠部材１０００ａ、１０００ｂを、枠体５の、例えば、躯体部材１００ａ、１００ｂに枢着することで、このシャツタ枠体１０の回転を可能とする。また、外枠６の外枠部材６００ａ、６００ｂの長さは、このシャツタ枠体１０の枠部材１０００ａ、１０００ｂの略１／２の長さより長く構成し、前記回転を担持する。また、この防虫ネット２０と、外枠６の放射方向の周辺（外枠部材６００ａ、６００ｂの長手方向の周辺）を密封する遮蔽部材２１、及びこの外枠６の吸込み側６ａと吹出側６ｂを開放する構成にすることで、例えば、外気の吸込みと、ハウス１内（ハウス１全体）への長手方向１−１に略水平方向の外気の流れと、広域的な外気の流れとが確保できる。またシャツタ枠体１０は、このハウス１の高さ方向では、ハウス１の内張りビニールフィルム３と、誘引梁２との間にある高さ方向空間Ｈ１で設けられる。これにより、前述の回転と、外気の吸込みと、それぞれの流れと、が確保できる。尚、誘引梁２の妻面１ａ側に設けた防虫ネット２０の底部２０ａは、遮蔽部材とする。また、この防虫ネット２０は、吹出側６ｂのみの場合もあり得るし、この場合においても、前述の外気の吸込みと、それぞれの流れが確保できる。前述の如く、実施例を採用することで、図１に示した、棚泡を利用したイチゴ栽培Ａと、吊下げ栽培するトマト栽培Ｂによる低所ハウス１においても有効である。また、外枠６には、送風手段を構成する自動、又は風圧等で開閉するシャツタ１７を設ける（シャツタ１７は、必要により設ける）。このシャツタ１７の閉塞で、外枠６及び／又はハウス１の遮蔽と、雨水の浸入防止、又はハウス１内の密封等を図り、また、その開放で、外気をハウス１内に導入する。
【００３９】
そして、この吸込み兼排気用の送風手段を、この種のハウス１（既成のハウス「図示しない」も含む）に設置するには、前述した如く、ハウス１において、妻面１ａに外枠６を突設し、かつシャツタ枠体１０を枠体５に枢着し、しかもシャツタ枠体１０を、ハウス１の誘引梁２と妻面１ａの内面とで形成される棟方向空間Ｈに設けるとともに、このシャツタ枠体１０を、ハウス１の高さ方向では、ハウス１の内張りビニールフィルム３と、誘引梁２との間にある高さ方向空間Ｈ１に設けることで、達成される。
【００４０】
また、この送風手段は、図５−１〜図６−２の実施例では、枠体５、又はシャツタ枠体１５に設けた支持杆１２を介して、羽根車１３と、モータ１４等の駆動部を設ける。この実施例では、吸込側として使用し、吸気とするか、又は吹出側として利用し、排気とするかの択一使用をする。そして、この実施例では、ハウス１内の内圧でシャツタ１７を開閉し、給排気用として利用する。
【００４１】
以下、外気の導入と、ハウス１内の外気（室内空気）の動きを説明する。図４−１に示した吸込み（吸気）の状態では、羽根車１３は、妻面１ａの外側にあり、かつシャツタ１７は、図示しない自動開放手段で、開放状態である。その後、モータ１４を駆動することで、羽根車１３が回転し、外枠６の吸込み側６ａ（吸込み口）より外気を吸込む（外枠６の周辺は遮蔽部材２１で閉塞されている）。この外気は、吹出側６ｂ（吹出口）より、ハウス１内において防虫ネット２０の張装と、防虫ネット２０の下側（必要により図示しない遮蔽膜）と、この下側と地面で形成される空間Ｈ３、及び／又はハウス１の内面で区画された外気整流室１０２に導入される。この外気整流室１０２内の外気は、網目２０００で抑制されながら、整流、かつ風圧（送風力）が緩和されるとともに、このハウス１の棟方向端面（短手方向１−２）に拡散されことから、例えば、前述の如く、ハウス１内への長手方向１−１に略水平方向の外気の流れと、広域的な外気の流れとが確保できる。従って、作物への略均等な風の流れと、温湿度分布の略均一化が図れる特徴があり、前述した如く、例えば、栽培・作業環境と、栽培・作業合理化、及び／又は、収穫・品質等の向上が図れる。
【００４２】
また、図４−２に示した排気の状態では、羽根車１３は、妻面１ａの内側にあり、かつシャツタ１７は、図示しない自動開放手段で、開放状態である。その後、モータ１４を駆動することで、羽根車１３が回転し、内気を、吸込み側６ｂより吸込み、外枠６の排気側６ｃより排気する。この内気は、張装された防虫ネット２０と網目２０００による抑制とを介して、その短手方向１−２の略全体から、略均等、かつ緩やかに吸気されるとともに、このハウス１内の長手方向１−１から、広域的、かつスムーズに吸気される。従って、作物への略均等な風の流れと、温湿度分布の矯正化が図れる特徴があり、前述した如く、例えば、栽培・作業環境と、栽培・作業合理化、及び／又は、収穫・品質等の向上が図れる。
【００４３】
尚、図６−１と、図６−２の吸込みと排気は、前述の図４−１と、図４−２の各例に順ずる。また、各例とも、一方の妻面１ａが、吸込みの場合は、原則として、他方の妻面１ａａは、排気となる。そして、各例を、両妻面１ａと、妻面１ａａにそれぞれ設ける構造が原則であるが、この図３−１〜図４−２を、一方の妻面１ａに、図５−１〜図６−２を、他方の妻面１ａに、設ける他の構造も可能である。
【００４４】
図中１ｂは、ハウス１の天井を示す。
【符号の説明】
【００４５】
１              ハウス
１００          躯体
１００ａ        躯体部材
１００ｂ        躯体部材
１０１          ビニールフィルム
１０２          外気整流室
１ａ            妻面
１ａａ          妻面
１ｂ            天井
１−１          長手方向
１−２          棟方向
２              誘引梁
３              内張りビニールフィルム
５              枠体
５００          開口部
６              外枠
６００ａ        外枠部材
６０ｂ          外枠部材
６ａ            吸込み側
６ｂ            吹出側
６ｃ            排気側
１０            シャツタ枠体
１０００ａ      枠部材
１０００ｂ      枠部材
１１            枢軸
１２            支持杆
１３            羽根車
１４            モータ
１７            シャッタ
２０            防虫ネット
２０００        網目
２１            遮蔽部材
Ｈ              棟方向空間
Ｈ１            高さ方向空間
Ｈ３            空間
Ａ              イチゴ栽培
Ｂ              トマト栽培
【図１】
2010263799.tif 000003
【図２】
2010263799.tif 000004
【図３−１】
2010263799.tif 000005
【図３−２】
2010263799.tif 000006
【図４−１】
2010263799.tif 000007
【図４−２】
2010263799.tif 000008
【図５−１】
2010263799.tif 000009
【図５−２】
2010263799.tif 000010
【図６−１】
2010263799.tif 000011